(57)【要約】【課題】  簡易な構成により面倒な調整作業等を不要として額縁枠部材が高精度かつ強固に組み合わされるようにする。【解決手段】  開口枠部材６がその背面６ｂと間仕切りパネル２の端部との間に額縁枠嵌合空間部１８を構成して取付部材５に固定されるとともに、額縁枠嵌合空間部１８に額縁枠挟持部２３を突出させて額縁枠取付部材８が開口枠部材６又は取付部材５に取り付けられる。額縁枠部材７が、第１側面部２０を額縁枠嵌合空間部１８に嵌合する簡易な作業により額縁枠取付部材８の額縁枠挟持部２３により開口枠部材６の背面に押し付けられて組み合わされる。【選択図】図１
2008050922.tif 000002
【特許請求の範囲】
【請求項１】
背面側に取付凸部が全長に亘って形成され、この取付凸部を間仕切りパネルに設けた取付部材に固定することにより前記間仕切りパネルに設けた開口部の開口縁に沿って組み合わされ、その背面と前記間仕切りパネルの端部との間に額縁枠嵌合空間部を構成する開口枠部材と、
前記開口縁とほぼ同長で互いに直交する第１側面部と第２側面部が一体に形成された断面略Ｌ字状を呈し、前記第１側面部が前記額縁枠嵌合空間部に嵌合されて組み合わされるとともに、前記第２側面部が前記開口縁に沿って前記間仕切りパネルの表面に組み合わされることにより前記開口部を縁ち取りする額縁枠部材と、
前記開口枠部材若しくは前記取付部材に対してその側縁部から先端側を前記額縁枠嵌合空間部に突出させて固定され、この突出部位が前記額縁枠嵌合空間部に嵌合される前記第１側面部を前記開口枠部材の背面側に押圧する額縁枠挟持部を構成する額縁枠取付部材とから構成され、
前記額縁枠部材が、前記額縁枠嵌合空間部に嵌合した前記第１側面部を前記額縁枠取付部材の前記額縁枠挟持部により前記開口枠部材の背面に押し付けられて挟持されるとともに、前記第１側面部を前記開口枠部材の背面に接合して組み合わされて前記開口部を縁ち取りすることを特徴とする開口枠装置。
【請求項２】
前記額縁枠取付部材が、前記開口枠部材の前記取付凸部よりも幅広に形成され前記開口枠部材若しくは前記取付部材に両側の先端部位を前記額縁枠嵌合空間部に突出させて固定され、前記額縁枠嵌合空間部に突出する自由端部位が第１額縁枠挟持部と第２額縁枠挟持部を構成し、前記間仕切りパネルの両面に組み合わされる第１額縁枠部材と第２額縁枠部材の各第１側面部をそれぞれ挟持することを特徴とする請求項１記載の開口枠装置。
【請求項３】
前記額縁枠取付部材が、前記開口枠部材の前記取付凸部若しくは前記取付部材に対して、前記額縁枠嵌合空間部に突出する先端部位を額縁枠挟持部とする左右一対の部材により構成されることを特徴とする請求項１記載の開口枠装置。
【請求項４】
前記額縁枠取付部材が、前記開口枠部材の前記取付凸部若しくは前記取付部材に対してそれぞれ高さ方向に所定の間隔を以って固定される複数部材により構成されることを特徴とする請求項１記載又は請求項３記載の開口枠装置。
【請求項５】
前記額縁枠取付部材が、前記額縁枠挟持部の前記開口枠部材との対向面に、外側面を傾斜面とする略ラチェット歯状の多数列の係止凸部を一体に形成することを特徴とする請求項１乃至請求項４のいずれか１項記載の開口枠装置。
【発明の詳細な説明】
【技術分野】
【０００１】  本発明は、家屋等の各部屋を仕切り或いは通路等を構成する間仕切りパネルに形成された開口部に設置されて、この開口部に組み付けられるドアを支持するドア枠、通路枠或いは化粧枠として機能する開口枠装置に関する。
【背景技術】
【０００２】  家屋等には、間仕切りパネルに開口部を形成してドアや通路或いはクローゼットや押入等が設けら、この開口部に、開口縁に沿って開口枠部材を組み合わせて開口枠装置が設けられる。開口枠装置は、開口枠部材が、一般に開口部の相対する両側方開口縁にそれぞれ組み付けられる縦枠部材と、これら縦枠部材の上端部間に架け渡すようにして組み付けられる天井枠部材とから構成される。開口枠装置は、例えばスイングドア体を支持するドア枠を構成する場合に、開口枠部材に、開口部側の主面に突出されることによりドア体の外周部が突き当たって位置決めされるための戸当り部材がはめ込まれる（例えば特許文献１参照）。【０００３】  ところで、開口枠装置は、室内意匠を構成する重要な部材であることから、見栄えの良い外観を有し、開口部に重厚感を与えるために比較的厚みのある例えばラワン材等の高級な木製部材により開口枠部材が形成される。また、開口枠装置は、壁厚に応じた適宜の幅（見込み幅）を有し、断熱、防炎或いは遮音性の仕様に応じた壁厚の変化に対応することも必要である。かかる開口枠装置については、比較的廉価な天然板材や、ラワンベニヤランバー、中密度繊維板、パーティクルボード或いはハードボード等を芯材として用い、この芯材の表面に表面化粧板や合成樹脂製化粧シートを接合したものも提供されている（例えば特許文献２参照）。【０００４】  出願人は、特許文献３により、開口部の開口縁に沿って組み合わせた開口枠部材に対して、簡易な構造により左右一対の化粧枠部材が組み合わされる開口枠装置を提供した。かかる開口枠装置は、開口枠部材を構成する芯部材の主面及び両側面にそれぞれ嵌合溝を形成し、これら嵌合溝に嵌合凸部を嵌合して左右一対の化粧枠部材が組み合わされるとともに、化粧枠部材の突き合わせ部位を戸当たり部材を兼ねる目隠し部材により被覆して構成する。【０００５】  一方、開口枠装置においては、例えば大壁に設けた開口部に組み合わせた開口枠部材に対してこれら開口枠部材を額縁のように縁ち取りする額縁枠部材を組み合わせることにより、重厚感の向上や開口枠部材とパネル壁のおさまり向上等が図られるようにする。かかる開口枠装置においては、開口枠部材と間仕切りパネルの突き当て部位に全長に亘って溝状の嵌合空間部が形成され、この嵌合空間部に一側縁を嵌合して額縁枠部材が組み合わされる。
【特許文献１】  特開平８−２４６７５２号公報
【特許文献２】  特開平６−２９４２５４号公報
【特許文献３】  特開２００５−３３６９７２公報
【発明の開示】
【発明が解決しようとする課題】
【０００６】  開口枠装置は、上述したように様々な機能が要求されるが、例えばドア体が組み合わされなかったりアコーディオンカーテンを組み合わす開口部の場合に戸当り部材が不要とされるために、それぞれの仕様に応じた現場対応によって施工が施される。開口枠装置は、室内意匠との調和が図られる重要な部材であり、汎用性、量産性が悪く、現場対応での変更により思わぬコスト高となるといった問題があった。【０００７】  開口枠装置においては、比較的廉価な芯材に表面化粧板等を接合することによってコスト低減が図られるようになる。開口枠装置においては、通行頻度が大きくまたドア体が突き当たる戸当りも兼ねることから、表面化粧板がはげ落ちたり破損しやすいといった問題がある。開口枠装置においては、搬入される資材等がぶっかることによって表面化粧板や額縁枠部材が破損して、結局付け直しの作業を行わなければならないといった問題を発生させる。【０００８】  上述した保護カバーを兼ねる開口枠部材は、施工時においても幼い子供等がぶっかった場合にそのクッション性によって保護する機能も奏する。しかしながら、かかる開口枠部材は、特殊な素材であることから従来工法による室内意匠との調和を図ることが難しい場合が多く、またドア体等を支持するための特殊な構成も必要となるとともにドア体の外周部が擦れることにより開閉操作が確実に行い得ないといった問題があり実用的でない。【０００９】  また、額縁枠部材を有する開口枠装置は、上述したように額縁枠部材がその一側縁を開口枠部材と間仕切りパネルの突き当て部位間に形成された嵌合空間部に嵌合して組み合わされる。開口枠装置は、額縁枠部材と嵌合空間部とのクリアランスを大きくすることにより比較的容易に組み合わせることが可能であるが、脱落が生じやすくなるといった問題がある。したがって、開口枠装置においては、開口枠部材や額縁枠部材を高精度に形成するとともに、構成部材を高精度に組み合わさなければならない。また、開口枠装置においては、開口枠部材や額縁枠部材或いは開口部の構成部材等に収縮や膨張が生じて嵌合空間部の幅が大きく変化することから、面倒かつ熟練を要する調整作業が必要となり、工事費や部材費がアップするといった問題があった。【００１０】  したがって、本発明は、開口枠部材に額縁枠部材を組み合わせた開口枠装置において、簡易な構成により面倒な調整作業等を不要として額縁枠部材が高精度かつ強固に組み合わされるようにする開口枠装置を提供することを目的に提案されたものである。
【課題を解決するための手段】
【００１１】  上述した目的を達成する本発明にかかる開口枠装置は、開口枠部材と、額縁枠部材と、額縁枠取付部材とから構成される。開口枠装置は、開口枠部材が、背面側に取付凸部が全長に亘って形成され、この取付凸部を間仕切りパネルに設けた取付部材に固定することにより間仕切りパネルに設けた開口部の開口縁に沿って組み合わされ、その背面と間仕切りパネルの端部との間に額縁枠嵌合空間部を構成する。開口枠装置は、額縁枠部材が、開口縁とほぼ同長で互いに直交する第１側面部と第２側面部が一体に形成された断面略Ｌ字状を呈し、第１側面部が額縁枠嵌合空間部に嵌合されて組み合わされるとともに、第２側面部が開口縁に沿って間仕切りパネルの表面に組み合わされることにより開口部を縁ち取りする。開口枠装置は、額縁枠取付部材が、開口枠部材若しくは取付部材に対して先端部位を額縁枠嵌合空間部に突出させて固定され、この突出部位が額縁枠嵌合空間部に嵌合される第１側面部を開口枠部材の背面側に押圧する額縁枠挟持部を構成する。【００１２】  開口枠装置においては、開口枠部材が取付凸部を介して取付部材に固定されることにより、その背面と間仕切りパネルの端部との間に額縁枠嵌合空間部を構成する。開口枠装置においては、額縁枠部材が、額縁枠取付部材の額縁枠挟持部を弾性変形させながら第１側面部を額縁枠嵌合空間部に嵌合することにより、第１側面部が額縁枠挟持部の弾性力により開口枠部材の背面に押し付けられて挟持される。開口枠装置においては、例えば開口枠部材の背面或いは額縁枠部材の第１側面部に接着剤が塗布され、この接着剤により第１側面部が開口枠部材の背面に接合されて強固に固定される。【００１３】  上述した目的を達成する開口枠装置は、額縁枠取付部材が、開口枠部材の取付凸部よりも幅広に形成され開口枠部材若しくは取付部材に両側の先端部位を額縁枠嵌合空間部に突出させて固定される。開口枠装置は、額縁枠嵌合空間部に突出する額縁枠取付部材の自由端部位が第１額縁枠挟持部と第２額縁枠挟持部を構成する。開口枠装置においては、額縁枠取付部材が、その第１額縁枠挟持部と第２額縁枠挟持部により間仕切りパネルの両面に組み合わされる第１額縁枠部材と第２額縁枠部材の各第１側面部をそれぞれ挟持する。【００１４】  上述した目的を達成する開口枠装置は、開口枠部材の取付凸部若しくは取付部材に対して、額縁枠嵌合空間部に突出する先端部位を額縁枠挟持部とする左右一対の部材により構成される。開口枠装置においては、左右の額縁枠取付部材が、それぞれの額縁枠挟持部により間仕切りパネルの両面に組み合わされる第１額縁枠部材と第２額縁枠部材の各第１側面部をそれぞれ挟持する。【００１５】  上述した目的を達成する開口枠装置は、額縁枠取付部材が、開口枠部材の取付凸部若しくは取付部材に対してそれぞれ高さ方向に所定の間隔を以って固定される複数部材により構成される。開口枠装置においては、各額縁枠取付部材が、それぞれの第１額縁枠挟持部と第２額縁枠挟持部により間仕切りパネルの両面に組み合わされる第１額縁枠部材と第２額縁枠部材の各第１側面部をそれぞれ挟持する。【００１６】  上述した目的を達成する開口枠装置は、額縁枠取付部材が、額縁枠挟持部の開口枠部材との対向面に、外側面を傾斜面とする略ラチェット歯状の多数列の係止凸部を一体に形成する。開口枠装置においては、額縁枠取付部材の額縁枠挟持部に形成する係止凸部を略ラチェット歯状としたことにより、嵌合方向に対して側面部に引っ掛かりを生じることなく額縁枠部材が額縁枠嵌合空間部内に嵌合される。開口枠装置においては、額縁枠部材が額縁枠嵌合空間部内に嵌合された状態で、弾性変形された額縁枠取付部材の額縁枠挟持部が係止凸部を開口枠部材の側面部に圧接させる。開口枠装置においては、略ラチェット歯状の係止凸部が側面部に対して楔作用を奏することで、額縁枠部材の額縁枠嵌合空間部からの脱落が防止される。
【発明の効果】
【００１７】  以上のように構成された本発明にかかる開口枠装置によれば、開口枠部材がその背面と間仕切りパネルの端部との間に額縁枠嵌合空間部を構成して取付部材に固定されるとともに、額縁枠嵌合空間部に額縁枠挟持部を突出させて額縁枠取付部材が開口枠部材の取付凸部若しくは取付部材に固定される簡易な構造であり、第１側面部を額縁枠嵌合空間部に嵌合する簡易な作業により額縁枠部材が額縁枠取付部材の額縁枠挟持部により開口枠部材の背面に押し付けられて組み合わされる。したがって、開口枠装置によれば、開口部を縁ち取りして組み合わされる額縁枠部材により重厚感の向上や開口枠部材と間仕切りパネルの端部とのおさまり向上等が図られる。開口枠装置によれば、開口部を構成する各部材を高精度に形成かつ組み合わせすることが不要となるとともに各部材の収縮や膨張等に伴う組み合わせ時の面倒かつ熟練を要する調整作業や適宜の補助加工等も不要とし、工事費や部材費の大幅な低減を図ることが可能である。開口枠装置によれば、開口部に対して額縁枠部材が脱落やズレ等を生じることなく強固に組み合わすことが可能である。
【発明を実施するための最良の形態】
【００１８】  以下、本発明の実施の形態について図面を参照して詳細に説明する。実施の形態として図面に示した開口枠装置１は、間仕切りパネル２に縦長矩形を呈して形成された開口部３の各開口辺に沿って枠組みされた状態で組み合わされ、片開きスイング型のドア体４を取り付ける。なお、開口枠装置１については、このようなドア枠ばかりでなく、通路用の開口枠、スライドドア体を組み合わせるドア枠、或いは各種の開口枠にも適用されることは勿論である。さらに、開口枠装置１は、一対のドア体４からなる両開きスイング型のドア体を取り付けるドア枠であってもよい。【００１９】  開口枠装置１は、図１に示すように、それぞれ詳細を後述する間仕切りパネル２の開口部３の左右側方開口縁３Ｌ、３Ｒ、３Ｕにそれぞれ設けた取付部材（添え木部材）５Ｌ、５Ｒ、５Ｕ（以下、個別に説明する場合を除いて取付部材５と総称する。）に固定される開口枠部材６Ｌ、６Ｒ、６Ｕ（以下、個別に説明する場合を除いて開口枠部材６と総称する。）を備える。開口枠装置１は、各開口枠部材６にそれぞれ組み合わされて開口部３の前面と背面とをそれぞれ縁ち取りする額縁枠部材７ＬＦ、７ＬＢ、７ＲＦ、７ＲＢ、７ＵＦ、７ＵＢ（以下、個別に説明する場合を除いて額縁枠部材７と総称する。）を備える。開口枠装置１は、各額縁枠部材７をそれぞれ相対する開口枠部材６と組み合わせ状態に保持する額縁枠取付部材８Ｌ、８Ｒ、８Ｕ（以下、個別に説明する場合を除いて額縁枠取付部材８と総称する。）を備える。【００２０】  開口枠装置１は、図１に示すように開口部３の左側方開口縁３Ｌに図示しない左縦取付部材５Ｌを介して左縦開口枠部材６Ｌが固定されるとともに、右側方開口縁３Ｒに図示しない右縦取付部材５Ｒを介して右縦開口枠部材６Ｒが固定される。開口枠装置１は、天井開口縁３Ｕに天井取付部材５Ｕを介して左縦開口枠部材６Ｌ及び右縦開口枠部材６Ｒの上端部間に架け渡されて天井開口枠部材６Ｕが固定される。開口枠装置１は、左縦開口枠部材６Ｌと、右縦開口枠部材６Ｒと天井開口枠部材６Ｕが基本的構成をほぼ同様にして形成される。なお、開口枠装置１は、例えば床面と同一面を構成するようにして左縦開口枠部材６Ｌと右縦開口枠部材６Ｒの下端部間に架け渡される底面開口枠部材を設けるようにしてもよい。【００２１】  開口枠装置１は、間仕切りパネル２が、図２及び図３に示すように適宜の間隔で多数の桟部材９を例えば縦横の格子状に組み合わせて芯材を構成し、これら桟部材９を挟んで前後一対のパネルボード２Ｆ、２Ｂを対向して取り付けて構成する。間仕切りパネル２は、各パネルボード２Ｆ、２Ｂの表面に例えば適宜の壁紙１０Ｆ、１０Ｂがそれぞれ貼着される。なお、間仕切りパネル２については、かかる構造に限定されるものではなく、従来一般に用いられている各種のパネル体が用いられてもよく、またパネルボード２Ｆ、２Ｂ間に構成される空間部に断熱材や防音材が充填されたものであってもよい。【００２２】  間仕切りパネル２には、適宜の位置に開口部３が形成されることから、桟部材９から外れた位置でパネルボード２Ｆ、２Ｂが切断されることにより小口面に空間部が生じる。したがって、間仕切りパネル２には、開口部３を形成した��にパネルボード２Ｆ、２Ｂ間に生じた空間部を埋めて開口縁部位を補強するとともに、開口枠装置１を取り付けるための取付部材５が設けられる。取付部材５は、図２及び図３に示すように、主面５ａがパネルボード２Ｆ、２Ｂの開口縁から突出するようにして取り付けられる。【００２３】  開口枠装置１には、図１に示すように右縦開口枠部材６Ｒ側に、ドア体４を回動自在に片持ち支持する詳細を省略する一対のヒンジ金具１１Ａ、１１Ｂが上下方向に離間して取り付けられる。開口枠装置１には、左縦開口枠部材６Ｌ側に詳細を省略するがドア体４に組み付けられたドアノブ１２のラッチが相対係合するラッチ孔を有するロックプレート１３が取り付けられる。【００２４】  開口枠部材６は、図３に示すように、間仕切りパネル２の厚み、すなわちパネルボード２Ｆ、２Ｂの対向間隔よりもやや大きな幅を有しており、主面６ａに長さ方向の全長に亘って戸当り部材１７が組み合わされる蟻溝状の戸当り嵌合溝１４が形成されている。開口枠部材６には、主面６ａと対向する背面６ｂ側に、取付部材５の幅とほぼ同等の幅を有する長さ方向の取付凸部１５が全長に亘って一体に形成されている。開口枠部材６は、同図及び図５に示すように背面６ｂの取付凸部１５を挟む両側部位６ｂａ、６ｂｂがそれぞれ側方に向かうにしたがって全体の厚みが大きくなるように傾斜面として形成されている。【００２５】  開口枠部材６は、背面６ｂ側を取付面として取付凸部１５を取付部材５の主面５ａに突き合わせるようにして組み合わされ、取付ねじ１６により固定される。開口枠部材６は、図示を省略するが戸当り嵌合溝１４の底部に取付凸部１５に貫通する複数の取付ガイド孔が設けられており、これら取付ガイド孔から取付ねじ１６がそれぞれねじ込まれる。開口枠装置１においては、図３に示すように戸当り嵌合溝１４に戸当り部材１７がその嵌合凸部を嵌合して組み合わされることにより、戸当り嵌合溝１４内に露出した各取付ねじ１６の頭部を目隠して、外部に直接露出して体裁が損なわれないようにする。【００２６】  なお、戸当り部材１７は、周知のように各開口枠部材６に開口部３に突出するようにしてそれぞれ組み合わされ、閉じられたドア体４の外周部を突き当てて位置決めする部材である。開口枠装置１においては、ドア体４を有しない例えば通路用の開口枠に適用される場合に戸当り部材１７や開口枠部材６の戸当り嵌合溝１４が不要となる。開口枠装置１においては、この場合に開口枠部材６に対してその主面６ａと略同一面を構成するようにして目隠し部材が戸当り嵌合溝１４に組み合わされる。【００２７】  開口枠装置１においては、上述したように間仕切りパネル２の開口縁（小口面）から主面５ａをやや突出させて取付部材５が組み合わされるとともに、この取付部材５の主面５ａに取付凸部１５を突き合わせて開口枠部材６が組み合わされる。開口枠装置１においては、かかる組み合わせ構造により、間仕切りパネル２、換言すればパネルボード２Ｆ、２Ｂの小口面と開口枠部材６の背面６ｂとの間に、図３に示すようにそれぞれ全長に亘って所定の開口幅を有する間隙、すなわち後述するように額縁枠部材７を組み合わせるための額縁枠嵌合空間部１８Ｆ、１８Ｂ（以下、個別に説明���る場合を除いて額縁枠嵌合空間部１８と総称する。）が構成される。【００２８】  開口枠装置１は、額縁枠部材７が、外装表面材として一般に用いられる中級或いは高級板材、金属材或いは樹脂材や例えば強度が小さいために構造部材として用いられないが装飾性を有する適宜の材質等により開口枠部材６とほぼ同長、すなわち開口部３とほぼ同長の長さを有して一体に形成される。額縁枠部材７は、図３に示すように主面部１９と、この主面部１９の両側縁に直交して一体に形成されることにより互いに対向する第１側面部２０及び第２側面部２１とからなる断面コ字状に構成される。【００２９】  額縁枠部材７は、主面部１９が、額縁枠嵌合空間部１８の幅よりも大きな幅を有して形成され、後述するように組み合わせ状態で開口部３を縁ち取りする外装面を構成する。額縁枠部材７は、第１側面部２０が、開口枠部材６の側端と取付凸部１５の側端との間隔とほぼ同等若しくはやや小さい長さでありかつ取付凸部１５の厚み（高さ）とほぼ等しい厚みに形成される。【００３０】  額縁枠部材７は、第１側面部２０が額縁枠嵌合空間部１８に嵌合され、後述するように額縁枠取付部材８により全長に亘って開口枠部材６の背面６ｂに押し付けられて開口部３に組み合わされる。額縁枠部材７は、この状態で主面部１９が額縁枠嵌合空間部１８を全域に亘って覆うようにするとともに第２側面部２１が小口面から所定の間隔を以ってパネルボード２Ｆ、２Ｂの表面に突き当たる。したがって、額縁枠部材７は、開口部３を縁ち取りするようにして組み合わされて、重厚感の向上や独自の意匠を構成するとともに開口枠部材６と間仕切りパネル２とのおさまり向上或いは壁紙１０の端部の目隠し作用等を奏するようにする。【００３１】  なお、額縁枠部材７は、開口部３の各辺においてそれぞれ前面と背面とに組み合わされるが、互いにほぼ同等に構成されたものが用いられる。額縁枠部材７は、例えば室内と室外とを異なる雰囲気とするような場合に、それぞれの雰囲気に適応した色調或いはデザイン形状のものを選択して組み合わせるようにしてもよい。額縁枠部材７は、この場合でも上述した主面部１９と、この主面部１９の両側縁に直交して一体に形成されることにより互いに対向する第１側面部２０及び第２側面部２１とからなる断面コ字状の基本構成が同等とされる。額縁枠部材７は、主面部１９と第１側面部２０と第２側面部２１とからなる断面コ字状の基本形態から、例えば主面部１９を第１側面部２０から延長して開口枠部材６の小口面を被覆する部位を形成したり、第２側面部２１が間仕切りパネル２と段差を生じないようにテーパ状に形成する等の形態を以って構成してもよい。【００３２】  開口枠装置１は、額縁枠取付部材８が、例えばＡＢＳ樹脂等の合成樹脂材、アルミ板や各種弾性金属板等により開口枠部材６とほぼ同長、すなわち開口部３とほぼ同長の長さを有するとともに、開口枠部材６の全体の幅よりもやや小さくかつ取付凸部１５の幅よりもやや大きな幅で形成される。額縁枠取付部材８は、全体が薄厚とされることにより厚み方向に対して弾性を有しており、後述するように額縁枠嵌合空間部１８に嵌合される額縁枠部材７の第１側面部２０により弾性変位されて弾性力を蓄勢し、この弾性力を第１側面部２０に作用させる。【００３３】  額縁枠取付部材８は、図４に示すように板状の基部２２と、この基部２２の両側縁に沿ってそれぞれ全長に亘って一体に形成された第１額縁枠挟持部２３Ａ及び第２額縁枠挟持部２３Ｂとから構成される。額縁枠取付部材８は、例えばＡＢＳ樹脂材により成形される場合に、１ｍｍ〜２．５ｍｍ程度の厚みに形成される。なお、第１額縁枠挟持部２３Ａ及び第２額縁枠挟持部２３Ｂは、基部部２２を挟んだ左右対称の部位であることから、以下個別に説明する場合を除いて額縁枠挟持部２３と総称する。【００３４】  額縁枠取付部材８には、基部２２に長さ方向に所定の間隔を以って多数個の取付孔２４が形成されている。額縁枠取付部材８は、各取付孔２４が図４に示すように幅方向に離間する一対の取付孔２４Ａ、２４Ｂによって構成され、これら取付孔２４から止めねじ２５をねじ込むことにより開口枠部材６の取付凸部１５に固定される。【００３５】  額縁枠取付部材８は、基部２２を取付凸部１５に固定した状態で、その側縁から突出する部位が額縁枠挟持部２３を構成する。額縁枠取付部材８は、額縁枠挟持部２３が、開口枠部材６を取付部材５に固定した状態において、この取付部材５の側縁部から突出して額縁枠嵌合空間部１８内に延在する。額縁枠取付部材８には、図４に示すように先端部の近傍に位置する額縁枠挟持部２３の構成部位に、断面形状が略楔状を呈する湾曲部２６Ａ、２６Ｂが一体に形成される。湾曲部２６は、額縁枠取付部材８が後述するように開口枠部材６に組み合わされた状態において、取付凸部１５から突出する部位に形成される。【００３６】  額縁枠取付部材８は、図４においてｈで示すように湾曲部２６を挟んだ基端側と先端側とで０．５ｍｍ程度の高さで段差が付されるようにして形成される。額縁枠取付部材８には、同図に示すように湾曲部２６の先端側が開口枠部材６に組み合わせた状態でその背面６ｂ側に向かって接近するようにテーパが付されるとともに、背面６ｂとの対向面に多数列の係止凸部２７Ａ、２７Ｂが一体に形成される。係止凸部２７は、外側面を傾斜面とし頂点から隣り合う傾斜面の下端を垂直面で連結した略ラチェット歯状に形成される。【００３７】  係止凸部２７は、後述するように額縁枠部材７が第１側面部２０をそれぞれ額縁枠嵌合空間部１８内に嵌合する際には、その傾斜面に沿ってこれら第１側面部２０が引っ掛かることなく嵌合されるようにする。また、係止凸部２７は、額縁枠部材７が第１側面部２０を額縁枠嵌合空間部１８内に嵌合させた状態で、額縁枠嵌合空間部１８からの抜き出し方向に対して垂直面が突き当たって楔作用を奏して第１側面部２０の脱落を防止する。【００３８】  額縁枠取付部材８は、額縁枠嵌合空間部１８内に嵌合される額縁枠部材７の第１側面部２０により湾曲部２６を介して額縁枠挟持部２３が取付部材５側へと弾性変位される。額縁枠取付部材８は、図３矢印アで示すように額縁枠挟持部２３に蓄勢した弾性力を第１側面部２０に作用させ、この第１側面部２０を開口枠部材６の背面６ｂとの間で挟持する。ところで、開口枠装置１においては、上述したように開口枠部材６の背面６ｂの両側部位６ｂａ、６ｂｂをそれぞれ傾斜面として形成したことにより、背面６ｂの側縁部６ｃａ、６ｃｂが突出した構造となっている。【００３９】  開口枠装置１においては、図３に示すように第１側面部２０側を額縁枠挟持部２３により押圧された額縁枠部材７が、側縁部６ｃａ、６ｃｂを支点として第２側面部２１に対して間仕切りパネル２側への回動習性を付与する。開口枠装置１においては、同図矢印イで示すように額縁枠部材７の第２側面部２１が間仕切りパネル２主面に圧接し、隙間等の発生が防止されて仕上がりの向上が図られる。開口枠装置１においては、例えば間仕切りパネル２の仕上がり精度が悪く主面に波打ち等が生じている場合であっても、調整等を不要として額縁枠部材７が精度よく組み付けられる。【００４０】  開口枠装置１は、いわゆる大工工程で間仕切りパネル２に開口部３を設けた後に、いわゆる建具工程によって施工される。開口枠装置１においては、図５に示すように開口枠部材６に対してその背面６ｂ側から取付凸部１５に額縁枠取付部材８が組み合わされる。額縁枠取付部材８は、湾曲部２６と対向する主面を取付面として同図に矢印で示すように取付凸部１５上に当てがわれ、各取付孔２４に止めねじ２５をねじ込むことにより開口枠部材６に組み合わされる。【００４１】  開口枠装置１においては、額縁枠取付部材８が開口枠部材６に組み合わされた状態で、図６に示すように額縁枠挟持部２３が取付凸部１５の側縁部から突出して開口枠部材６の背面６ｂと全長に亘って対向する。開口枠装置１においては、上述した額縁枠取付部材８の構成により、額縁枠挟持部２３がその先端部を次第に開口枠部材６の背面６ｂに近づけるようにして開口枠部材６に組み合わされる。【００４２】  開口枠装置１は、額縁枠取付部材８を組み付けた開口枠部材６が、開口部３の相対する取付部材５に組み合わされる。開口枠装置１においては、開口枠部材６が、額縁枠取付部材８を組み付けた取付凸部１５側を取付面として取付部材５に対して、図６に矢印で示すようにパネルボード２Ｆ、２Ｂの開口縁から突出する主面５ａに位置決めして組み合わされる。開口枠装置１においては、開口枠部材６が、戸当り嵌合溝１４の底部に形成した各取付ガイド孔に取付ねじ１６をねじ込むことにより取付部材５に組み合わされる。【００４３】  開口枠装置１においては、図７に示すように戸当り嵌合溝１４に戸当り部材１７が組み合わされることにより、戸当り嵌合溝１４内に露出した各取付ねじ１６の頭部を目隠しする。なお、開口枠装置１においては、開口枠部材６に対して、取付部材５に組み合わせる前工程或いは後工程において、背面６ｂに額縁枠部材７を接合する適宜の接着剤が塗布される。接着剤については、額縁枠部材７の第１側面部２０側に塗布するようにしてもよいが、外装部位を構成する主面部１９に流れ出さないように塗布量や塗布領域を管理する必要があり、開口枠部材６側に塗布することが好ましい。【００４４】  開口枠装置１においては、開口枠部材６が取付部材５に組み合わされた状態で、図７に示すようにパネルボード２の小口面と開口枠部材６の背面６ｂとの間に全長に亘って額縁枠嵌合空間部１８が構成される。開口枠装置１においては、額縁枠嵌合空間部１８に額縁枠取付部材８の額縁枠挟持部２３が、開口枠部材６の背面６ｂに対して額縁枠部材７の第１側面部２０の厚みよりもやや狭い間隔を以って突出している。【００４５】  開口枠装置１においては、上述したように左右及び天井開口縁に取付部材５を介してそれぞれ開口枠部材６を組み合わせた開口部３に対して、図１に示すようにそれぞれ額縁枠部材７を組み合わせることにより縁ち取りを行う。開口枠装置１においては、額縁枠部材７Ｆがパネルボード２Ｆ側において開口部３に全長に亘って存在するように組み合わされるとともに、額縁枠部材７Ｂがパネルボード２Ｂ側において開口部３に全長に亘って存在するよう組み合わされる。【００４６】  開口枠装置１においては、額縁枠部材７が、図７に矢印で示すように第１側面部２０を開口枠部材６の背面６ｂと額縁枠取付部材８の額縁枠挟持部２３の間にこじ入れるようにして額縁枠嵌合空間部１８内に嵌合される。開口枠装置１においては、額縁枠取付部材８の額縁枠挟持部２３が、上述したように額縁枠嵌合空間部１８内において額縁枠部材７の第１側面部２０の厚みよりも小さな間隔を以って開口枠部材６の背面６ｂに対向して延在されることにより、第１側面部２０により取付部材５側へと押し広げられる。【００４７】  開口枠装置１においては、額縁枠取付部材８の額縁枠挟持部２３が、額縁枠部材７の第１側面部２０により弾性変位されて弾性力を蓄勢し、図３に矢印で示すようにこの弾性力を第１側面部２０に作用させる。開口枠装置１においては、係止凸部２７により額縁枠挟持部２３が全長に亘って第１側面部２０との当接状態を確実に保持される。開口枠装置１においては、これにより額縁枠部材７が第１側面部２０を開口枠部材６の背面６ｂに押圧されて開口部３を縁ち取りして組み合わされる。開口枠装置１においては、上述したように開口枠部材６の背面６ｂに塗布した接着剤が硬化して第１側面部２０が背面６ｂに接合されることにより、額縁枠部材７が開口枠部材６に強固に固定される。【００４８】  開口枠装置１においては、開口部３を形成したパネルボード２Ｆ、２Ｂの小口面がギザギザの仕上がり状態となっているとともに、パネルボード２Ｆ、２Ｂの表面に接合された壁紙１０Ｆ、１０Ｂの縁も切りっぱなし状態となっている。開口枠装置１においては、開口部３を構成する取付部材５や開口枠部材６の仕上がり精度により、例えばコーナ部位等に隙間が生じていることがある。開口枠装置１においては、図３に示すように額縁枠部材７の第２側面部２１の先端部がパネルボード２Ｆ、２Ｂの表面に突き当てられ、主面部１９により額縁枠嵌合空間部１８とパネルボード２Ｆ、２Ｂの小口面を全域に亘って被覆することにより、上述したパネルボード２Ｆ、２Ｂの小口面の仕上げ処理を不要とする。【００４９】  開口枠装置１においては、額縁枠部材７が、第１側面部２０を額縁枠嵌合空間部１８に嵌合する簡易な作業により開口部３への組み合わせが可能である。開口枠装置１においては、額縁枠部材７が額縁枠取付部材８を介して保持されることにより、これら部材の各部位の寸法精度を大幅に緩和するとともに上述したように様々な材料を用いて加工することが可能となり、コスト低減が図られる。開口枠装置１においては、額縁枠嵌合空間部１８の寸法精度を要求��ずに額縁枠部材７の開口部３への組み合わせが可能であることから、取付部材５や開口枠部材６の寸法精度或いはその組立精度を緩和して作業の効率化が図られるようにする。【００５０】  上述した開口枠装置１においては、額縁枠取付部材８を開口枠部材６側に組み合わせるようにしたが、額縁枠挟持部２３を額縁枠嵌合空間部１８に突出させて取付部材５側に組み合わせるようにしてもよいことは勿論である。また、開口枠装置１においては、額縁枠取付部材８が開口枠部材６の全長に亘って組み合わされる１個の部材によって構成されるが、本発明はかかる額縁枠取付部材８に限定されるものでは無い。【００５１】  第２の実施の形態として図８に示した開口枠装置３０は、開口枠部材６に対して左右に分割された一対の額縁枠取付部材３１Ｒと額縁枠取付部材３１Ｌとにより構成したことを特徴とする。開口枠装置３０は、取付部材５や開口枠部材６或いは額縁枠部材７等のその他の構成を開口枠装置１と同様とすることから、対応する部材、部位に同一符号を付すことにより説明を省略する。なお、額縁枠取付部材３１Ｒと額縁枠取付部材３１Ｌは、左右対称形に形成されることから、個別に説明する場合を除いて以下額縁枠取付部材３１と総称して説明する。【００５２】  額縁枠取付部材３１も、例えばＡＢＳ樹脂等の合成樹脂材、アルミ板や各種弾性金属板等を素材として開口枠部材６とほぼ同長に形成される。額縁枠取付部材３１は、開口枠部材６の全体の幅に対してその１／２よりもやや小さな幅寸法を有している。額縁枠取付部材３１も、全体が薄厚とされることにより厚み方向に対して弾性を有しており、後述するように額縁枠嵌合空間部１８に嵌合される額縁枠部材７の第１側面部２０により弾性変位されて弾性力を蓄勢し、この弾性力を第１側面部２０に作用させる。【００５３】  額縁枠取付部材３１は、図８に示すように板状の基部３２と、この基部３２の一方側縁に沿ってそれぞれ全長に亘って一体に形成された額縁枠挟持部３３とから構成される。額縁枠取付部材３１も、例えばＡＢＳ樹脂材により成形される場合に、１ｍｍ〜２．５ｍｍ程度の厚みに形成される。額縁枠取付部材３１には、基部３２に長さ方向に所定の間隔を以って多数個の取付孔が形成されている。額縁枠取付部材３１は、各取付孔から止めねじ２５をねじ込むことにより開口枠部材６の取付凸部１５の幅方向の一方領域に位置して高さ方向に固定される。【００５４】  額縁枠取付部材３１は、基部３２を取付凸部１５に固定した状態で、その側縁から突出する部位が額縁枠挟持部３３を構成する。額縁枠取付部材３１は、額縁枠挟持部３３が、開口枠部材６を取付部材５に固定した状態において、この取付部材５の側縁部から突出して額縁枠嵌合空間部１８内に延在する。額縁枠取付部材３１にも、詳細を省略するが先端部の近傍に位置する額縁枠挟持部３３の構成部位に、断面形状が略楔状を呈する湾曲部が一体に形成される。額縁枠取付部材３１も、湾曲部を挟んだ基端側と先端側とで０．５ｍｍ程度の高さで段差が付されるようにして形成され、開口枠部材６に組み合わせた状態で湾曲部の先端側が背面６ｂ側に向かって接近するようにテーパが付されるとともに、背面６ｂとの対向面に多数条のグリップ凹凸���が一体に形成される。【００５５】  額縁枠取付部材３１も、額縁枠嵌合空間部１８内に嵌合される額縁枠部材７の第１側面部２０により湾曲部を介して額縁枠挟持部３３が取付部材５側へと弾性変位される。額縁枠取付部材３１は、上述したように額縁枠挟持部３３に蓄勢した弾性力を第１側面部２０に作用させ、この第１側面部２０を開口枠部材６の背面６ｂとの間で挟持する。【００５６】  開口枠装置３０においては、左右一対の額縁枠取付部材３１Ｒと額縁枠取付部材３１Ｌによって額縁枠取付部材を構成したことにより、上述した開口枠装置１の額縁枠取付部材８と比較して材料費の低減が図られる。なお、開口枠装置３０は、額縁枠取付部材３１Ｒと額縁枠取付部材３１Ｌを開口枠部材６の取付凸部１５に対して中央部を挟んだ両側領域に組み合わせる構成を除いて開口枠装置１と同等とすることから、各部材の組立構造等の説明を省略する。開口枠装置３０においても、額縁枠取付部材３１を取付部材５側に組み合わせるようにしてもよいことは勿論である。【００５７】  第３の実施の形態として図９に示した開口枠装置４０は、額縁枠取付部材４１が、開口枠部材６に対して高さ方向に所定の間隔を以って固定される複数の額縁枠取付部材４１Ａ〜４１Ｎからなる構成に特徴がある。開口枠装置４０も、取付部材５や開口枠部材６或いは額縁枠部材７等のその他の構成を開口枠装置１、３０と同様とすることから、対応する部材、部位に同一符号を付すことにより説明を省略する。なお、額縁枠取付部材４１Ａ〜４１Ｎは、互いに同一形状に形成されることから、以下個別に説明する場合を除いて額縁枠取付部材４１と総称する。【００５８】  額縁枠取付部材４１も、例えばＡＢＳ樹脂等の合成樹脂材、アルミ板や各種弾性金属板等を素材として形成され、開口枠部材６の全体の幅よりもやや小さくかつ取付凸部１５の幅よりもやや大きな幅の略横長矩形に形成される。額縁枠取付部材４１も、全体が薄厚とされることにより厚み方向に対して弾性を有しており、後述するように額縁枠嵌合空間部１８に嵌合される額縁枠部材７の第１側面部２０により弾性変位されて弾性力を蓄勢し、この弾性力を第１側面部２０に作用させる。【００５９】  額縁枠取付部材４１も、図９に示すように板状の基部４２と、この基部４２の両側縁に沿ってそれぞれ全長に亘って一体に形成された左右対称の部位からなる第１額縁枠挟持部４３及び第２額縁枠挟持部４４とから構成される。額縁枠取付部材４１も、例えばＡＢＳ樹脂材により成形される場合に、１ｍｍ〜２．５ｍｍ程度の厚みに形成される。額縁枠取付部材４１には、基部４２に幅方向に離間して一対の取付孔が形成され、これら取付孔から止めねじ２５をねじ込むことにより開口枠部材６の取付凸部１５に固定される。【００６０】  額縁枠取付部材４１も、基部４２を取付凸部１５に固定した状態で、その両側縁から突出する部位が第１額縁枠挟持部４３と第２額縁枠挟持部４４を構成する。額縁枠取付部材４１は、第１額縁枠挟持部４３と第２額縁枠挟持部４４が、開口枠部材６を取付部材５に固定した状態において、この取付部材５の側縁部から突出して額縁枠嵌合空間部１８内に延在する。額縁枠取付部材４１にも、先端部の近傍に位置する第１額縁枠���持部４３と第２額縁枠挟持部４４の構成部位に、それぞれ断面形状が略楔状を呈する湾曲部が一体に形成される。【００６１】  額縁枠取付部材４１も、湾曲部を挟んだ基端側と先端側が０．５ｍｍ程度の高さで段差が付されるようにして形成され、開口枠部材６に組み合わせた状態で湾曲部の先端側がその背面６ｂ側に向かって接近するようにテーパが付されるとともに、背面６ｂとの対向面に多数条のグリップ凹凸部が一体に形成される。【００６２】  額縁枠取付部材４１は、額縁枠嵌合空間部１８内に嵌合される額縁枠部材７の第１側面部２０により湾曲部を介して第１額縁枠挟持部４３或いは第２額縁枠挟持部４４が取付部材５側へと弾性変位される。額縁枠取付部材４１は、第１額縁枠挟持部４３或いは第２額縁枠挟持部４４に蓄勢した弾性力を第１側面部２０に作用させ、この第１側面部２０を開口枠部材６の背面６ｂとの間で挟持する。【００６３】  開口枠装置４０においては、開口枠部材６に対して多数個の額縁枠取付部材４１Ａ〜４１Ｎを高さ方向に所定の間隔を以って組み合わせる用にしたことから、部材費をさらに低減することが可能である。なお、開口枠装置４０においてもは、額縁枠取付部材４１Ａ〜４１Ｎを開口枠部材６の取付凸部１５に対して組み合わせる構成を除いて開口枠装置１と同等とすることから各部材の組立構造等の説明を省略する。開口枠装置４０においても、額縁枠取付部材４１を取付部材５側に組み合わせるようにしてもよいことは勿論である。
【図面の簡単な説明】
【００６４】
【図１】ドア体を取り付けた開口枠装置の構成を説明する要部正面図である。
【図２】開口枠装置の構成を示す要部分解斜視図である。
【図３】同要部断面図である。
【図４】額縁枠取付部材の一部拡大断面図である。
【図５】額縁枠取付部材を開口枠部材に組み合わせる工程説明図である。
【図６】開口枠部材を取付部材に組み合わせる工程説明図である。
【図７】額縁枠部材を額縁枠嵌合空間部に嵌合する工程説明図である。
【図８】第２の実施の形態として示す開口枠装置の構成を示す要部分解斜視図である。
【図９】第３の実施の形態として示す開口枠装置の構成を示す要部分解斜視図である。
【符号の説明】
【００６５】１      開口枠装置
２      間仕切りパネル
３      開口部
４      ドア体
５      取付部材
６      開口枠部材
７      額縁枠部材
８      額縁枠取付部材
９      桟部材
１０    壁紙
１４    戸当り嵌合溝
１５    取付凸部
１６    取付ねじ
１７    戸当り部材
１８    額縁枠嵌合空間部
１９    主面部
２０    第１側面部
２１    第２側面部
２２    基部
２３    額縁枠挟持部
２４    取付孔
２５    止めねじ
２６    湾曲部
２７    係止凸部
３０    開口枠装置
３１    額縁枠取付部材
３２    基部
３３    額縁枠挟持部
４０    開口枠装置
４１    額縁枠取付部材
４２    基部
４３    第１額縁枠挟持部
４４    第２額縁枠挟持部
【図１】
2008050922.tif 000003
【図２】
2008050922.tif 000004
【図３】
2008050922.tif 000005
【図４】
2008050922.tif 000006
【図５】
2008050922.tif 000007
【図６】
2008050922.tif 000008
【図７】
2008050922.tif 000009
【図８】
2008050922.tif 000010
【図９】
2008050922.tif 000011